(57)【要約】      （修正有）【課題】底面部の隙間を通って輻射熱が本体ケーシング内に向けて放射されにくい加熱調理器を提供する。【解決手段】加熱調理器１は、本体ケーシング２と、前面パネル２４Ｃと、操作部４と、を備える。前面パネルは、本体ケーシングの前面部の一部を構成し、前面部の他の部分よりも前方の前位置と、前位置よりも後方の後位置と、の間で移動可能である。操作部は、前面パネルの後面側に設けられ、前面パネルが前位置に位置するときに前面部の他の部分よりも前方の操作部使用位置に位置する。操作部は、前面パネルが後位置に位置するときに前面部の他の部分よりも後方の操作部収納位置に位置する。本体ケーシングの底面部２５の前端２５１が、前面パネルの後端２４４よりも後方に位置する。底面部の前端と前面パネルの後端との間に上下に通じる隙間２５２が形成される。前面パネルの後面に、平面視において隙間を塞ぐ遮蔽リブ２４５が後方に向けて突出する。【選択図】図７
2019128096.tif 000002
【特許請求の範囲】
【請求項１】
本体ケーシングと、
前記本体ケーシングの前面部の一部を構成し、前記前面部の他の部分よりも前方の前位置と、前記前位置よりも後方の後位置と、の間で移動可能な前面パネルと、
前記前面パネルの後面側に設けられ、前記前面パネルが前記前位置に位置するときに前記前面部の前記他の部分よりも前方の操作部使用位置に位置し、前記前面パネルが前記後位置に位置するときに前記前面部の前記他の部分よりも後方の操作部収納位置に位置する操作部と、
を備え、
前記本体ケーシングの底面部の前端が、前記前面パネルの後端よりも後方に位置して、前記底面部の前記前端と前記前面パネルの前記後端との間に上下に通じる隙間が形成され、
前記前面パネルの前記後面に、平面視において前記隙間を塞ぐ遮蔽リブが後方に向けて突出する
ことを特徴とする加熱調理器。
【請求項２】
前記遮蔽リブは、前記前面パネルの下部に設けられる
ことを特徴とする請求項１記載の加熱調理器。
【発明の詳細な説明】
【技術分野】
【０００１】
本発明は、加熱調理器に関する。
【背景技術】
【０００２】
従来、特許文献１に示されるような加熱調理器が知られている。この加熱調理器は、調理器本体の前面部に下方側操作装置部が設けられる。下方側操作装置部は、下端部を調理器本体に設けられた枢支軸に揺動自在に枢支させた操作部支持枠を備える。操作部支持枠は、上端部に運転操作部を備え、運転操作部を調理器本体の前方に突出させる突出位置と、運転操作部を調理器本体の内方に引退させる引退位置とに前後揺動により切換える。
【先行技術文献】
【特許文献】
【０００３】
【特許文献１】特開２０１７−１３３７１０号公報
【発明の概要】
【発明が解決しようとする課題】
【０００４】
特許文献１に示されるような加熱調理器にあっては、運転操作部が引退位置にある状態で、調理器本体の底面部を構成する、装置本体枠の下方側部分の前端が、調理器本体の前面部を構成する、操作部支持枠の内蓋よりも後方に位置している。このため、下方側部分の前端と操作部支持枠の内蓋との間に上下に通じる隙間が形成される。
【０００５】
このような隙間が形成されると、加熱調理器の下側に例えばオーブン等の熱源が位置する場合、この隙間を通して熱源からの輻射熱が調理器本体内に侵入して放射されてしまうおそれがあった。
【０００６】
本発明は上記従来の問題点に鑑みて発明したものであって、底面部の隙間を通って輻射熱が本体ケーシング内に向けて放射されにくい加熱調理器を提供することにある。
【課題を解決するための手段】
【０００７】
本開示の一形態に係る加熱調理器は、本体ケーシングと、前面パネルと、操作部と、を備える。前記前面パネルは、前記本体ケーシングの前面部の一部を構成し、前記前面部の他の部分よりも前方の前位置と、前記前位置よりも後方の後位置と、の間で移動可能である。前記操作部は、前記前面パネルの後面側に設けられ、前記前面パネルが前記前位置に位置するときに前記前面部の前記他の部分よりも前方の操作部使用位置に位置する。前記操作部は、前記前面パネルが前記後位置に位置するときに前記前面部の前記他の部分よりも後方の操作部収納位置に位置する。前記本体ケーシングの底面部の前端が、前記前面パネルの後端よりも後方に位置する。前記底面部の前記前端と前記前面パネルの前記後端との間に上下に通じる隙間が形成される。前記前面パネルの前記後面に、平面視において前記隙間を塞ぐ遮蔽リブが後方に向けて突出する。
【０００８】
また、前記遮蔽リブは、前記前面パネルの下部に設けられることが好ましい。
【発明の効果】
【０００９】
本開示の一形態に係る加熱調理器にあっては、平面視において隙間を塞ぐ遮蔽リブが位置するため、隙間を通って輻射熱が本体ケーシング内に向けて放射されにくい。
【００１０】
また、遮蔽リブが前面パネルの下部に設けられることにより、隙間を通って進入する輻射熱のできるだけ多くを遮ることができる。
【図面の簡単な説明】
【００１１】
【図１】図１は、本発明の一実施形態に係る加熱調理器の前斜め上方より見た斜視図である。
【図２】図２は、同上の加熱調理器の加熱手段の構成図である。
【図３】図３は、同上の加熱調理器の左側の操作部が操作部使用位置に位置する状態の前斜め上方より見た斜視図である。
【図４】図４は、同上の加熱調理器の左側の操作部が操作部収納位置に位置する状態の前斜め上方より見た斜視図である。
【図５】図５は、同上の加熱調理器の回動枠の分解斜視図である。
【図６】図６Ａは、同上の加熱調理器の前面パネルの後面図である。図６Ｂは、同上の前面パネルの底面図である。
【図７】図７は、同上の加熱調理器の一部を破断した断面図である。
【発明を実施するための形態】
【００１２】
本発明に係る加熱調理器の一実施形態について、図１〜図７に基いて説明する。
【００１３】
本実施形態における加熱調理器１は、キッチンカウンターに形成された凹部に設置されるビルトイン型のグリル付きガスコンロである。
【００１４】
図１に示すように、加熱調理器１は、本体ケーシング２と、加熱手段３と、加熱部１１と、操作部４と、制御部（不図示）と、を備える。本体ケーシング２は、上方に開口する筐体２０と、筐体２０の上開口を覆う天板２１とを備える。加熱手段３は、コンロバーナ３０およびグリルバーナ（不図示）により構成される。制御部は、マイクロコンピュータを有し、操作部４からの操作を受けて加熱手段３を制御する。加熱手段３および制御部は本体ケーシング２内に収納される。操作部４は、図７に示すように、基板４０と、基板４０に設けられるボタン、スイッチ、タッチパネル、その他各種電気機器４１を有する。操作部４については後述する。
【００１５】
ここで、加熱調理器１における前後方向を定義する。図１に示すように、設計上、加熱調理器１に対して使用者が位置する方を前方Ｆとするとともにその反対を後方Ｂとする。左右については、後方Ｂを向いた時の左方Ｌおよび右方Ｒとする。
【００１６】
本実施形態では、天板２１の前部の左部に左コンロバーナ３０Ａが設けられ、天板２１の後部の左右方向中央に奥コンロバーナ３０Ｂが設けられ、天板２１の全部の右部に右コンロバーナ３０Ｃが設けられる。天板２１の各コンロバーナ３０Ａ〜Ｃが設けられる部分にコンロバーナ挿通口（不図示）がそれぞれ形成され、各コンロバーナ挿通口を挿通してコンロバーナ３０の略円形状をした上部がそれぞれ上方に露出する。
【００１７】
本体ケーシング２の上面部２２を構成する天板２１には、その上面のコンロバーナ挿通口の周囲に、調理容器等の加熱対象が載置される五徳１１１が設置されている。本実施形態では、コンロバーナ３０が、加熱手段３により加熱対象を加熱するための加熱部１１を構成する。
【００１８】
加熱調理器１は、グリル１２を備えている。グリル１２は、本体ケーシング２内に収納されるグリル庫１２０を有する。グリル庫１２０は、内部にグリルバーナを備え、内部空間を燃焼室とするものである。燃焼室から後方Ｂに向けて、グリルバーナからの燃焼排気を排出するための排気通路が連設されている。排気通路の下流端は、天板２１の後部の下側に位置しており、天板２１の後部に設けられた排気口２１１から天板２１の上方に排出される。グリル庫１２０は、前開口を有しており、前開口を通って前方Ｆより加熱対象を出し入れ可能である。前開口には、グリル扉１２１が開閉自在に設けられる。グリル扉１２１は、本体ケーシング２の前面部２３を構成する。
【００１９】
加熱手段３について説明する。図２に示すように、各コンロバーナ３０、グリルバーナに燃料ガスを通流させるガス流路３１がそれぞれ設けられる。各ガス流路３１には、上流側より、安全弁３２、メイン弁３３および流量制御弁３４が設けられている。このような弁を有するガス流路３１を通流して、コンロバーナ３０およびグリルバーナに都市ガス等の燃料ガスが供給される。これらの構成部材は、本体ケーシング２内に収納されて、加熱手段３を構成する。なお、コンロバーナ３０の上端部等、加熱手段３の一部が本体ケーシング２外に位置してもよい。図２中の符号３５は点火プラグであり、符号３６は熱電対やサーミスタ等からなる点火検知装置である。
【００２０】
図１に示すように、グリル扉１２１の両側にはそれぞれ、本体ケーシング２の前面部２３の一部を構成する前面パネル２４が設けられている。前面パネル２４は、図３に示すように、本体ケーシング２の筐体２０を構成する前フレーム２０１に設けられる。筐体２０は、前フレーム２０１内の開口を通って内外に通じている。
【００２１】
図１に示すように、前面部２３の左部の上部の前面パネル２４Ａには、左コンロバーナ３０Ａ用の点消火ボタン１３Ａと、奥コンロバーナ３０Ｂ用の点消火ボタン１３Ｂとが設けられている。前面部２３の右部の上部の前面パネル２４Ｂには、グリルバーナ用の点消火ボタン１３Ｄと、右コンロバーナ３０Ｃ用の点消火ボタン１３Ｃとが設けられている。点消火ボタン１３Ａ〜１３Ｄを操作することで、加熱の開始（点火）または加熱の停止（消火）の指令を制御部に与えて、加熱手段３による加熱の開始または停止を行う。
【００２２】
前面部２３の左部の下部の前面パネル２４Ｃおよび前面部２３の右部の下部の前面パネル２４Ｄの後面側には、図３に示す前方Ｆに露出する操作部使用位置と、図４に示す本体ケーシング２内に収納される操作部収納位置との間で移動可能となる操作部４が設けられている。操作部４が図３に示す操作部使用位置に位置するときには、操作部４は前面部２３の前面パネル２４Ｃ以外の部分よりも前方に位置する。操作部４が図４に示す操作部収納位置に位置するときには、操作部４は前面部２３の前面パネル２４Ｃ以外の部分よりも後方に位置する。
【００２３】
なお、操作部４が図３に示す操作部使用位置に位置するとき、前面パネル２４Ｃは、前面部２３の前面パネル２４Ｃ以外の部分よりも前方の前位置に位置する。操作部４が図４に示す操作部収納位置に位置するとき、前面パネル２４Ｃは、前位置よりも後方で、前面部２３の前面パネル２４Ｃ以外の部分と略面一となる後位置に位置する。
【００２４】
操作部４は、自動で各種の調理を行ったりするための操作を行うためのものであるが、操作の目的は特に限定されない。また、表示部等、操作部４以外の機器が並設されてもよい。
【００２５】
図３に示すように、本実施形態では、操作部４は、下部が枢支されて上部が回動するいわゆるカンガルーポケット機構の一部を構成する。図５に示すように、カンガルーポケット機構は、操作部４の基板４０が設けられて操作部４とともに移動する基部５０と、基部５０の左右の両側に連設される側枠部５１とからなる、正面視コ字状をした回動枠５により主体が構成される。側枠部５１は、側面視三角形状をしたもので、下端部に設けられた軸受部５２が本体ケーシング２の前フレーム２０１に設けられた軸部２０２（図７参照）に装着される。側枠部５１の上側の辺は、基部５０に連続している。側枠部５１の前側の辺に、前面パネル２４Ｃが取り付けられる。図５，図６Ａ，図６Ｂに示すように、前面パネル２４Ｃの下端部には、軸受部２４２が設けられる。軸受部２４２は、側枠部５１の軸受部５２が装着されるのと同じ軸部に装着される。
【００２６】
本実施形態では、側枠部５１の前側の前面パネル２４Ｃの前方Ｆに化粧パネル２４０が離接可能に取り付けられている。化粧パネル２４０の下端部に設けられた軸受部２４３は、側枠部５１の軸受部５２及び前面パネル２４Ｃの軸受部２４２が装着されるのと同じ軸部に装着される。
【００２７】
本実施形態では、図３に示すように、操作部４は、前方Ｆに露出する操作部使用位置に位置している状態で、その上面の法線（不図示）が、上方から前方Ｆに１０〜２０°傾いた方向を向いている。また、操作部４は、図４に示すように、本体ケーシング２内の操作部収納位置に位置している状態で、その上面の法線が、上方から後方Ｂに１０〜２０°傾いた方向を向いている。
【００２８】
図１に示す左右の操作部４のうち、左側の操作部４の下側に、電池ケース（不図示）が収納される。電池ケースは、上方に開口する箱状をした部材で、内部に電池を保持する。電池ケースは、電池ケース引出位置と電池ケース収納位置との間で移動可能となる。図５に示すように、前面パネル２４Ｃに形成された開口２４１を通って、前面部２３の後方Ｂに収納されていた電池ケースが前面部２３の前方Ｆに引き出される。
【００２９】
本実施形態では、図７に示すように、本体ケーシング２の底面部２５の前端２５１が、後位置に位置する前面パネル２４Ｃの後端２４４よりも後方に位置する。これにより、底面部２５の前端２５１と前面パネル２４Ｃの後端２４４との間に上下、すなわち本体ケーシング２の内外に通じる隙間２５２が形成される。なお、前面パネル２４Ｃの後端２４４とは、前面パネル２４Ｃの下端部における、軸受部２４２及び後述する遮蔽リブ２４５を除く部分をいう。
【００３０】
このような隙間２５２が本体ケーシング２の底面部２５に形成されていると、隙間２５２を通って輻射熱が本体ケーシング２内に放射される。特に、本体ケーシング２の下側に例えばオーブン等の熱源が位置する場合、隙間２５２を通って大量の輻射熱が本体ケーシング２内に放射されてしまうおそれがあった。輻射熱が隙間２５２より本体ケーシング２内に放射されると、耐熱性の低い部材が悪影響を受ける。例えば、操作部４の基板４０が備える電気機器４１が、輻射熱による影響を受けやすい。そこで、本実施形態では、前面パネル２４Ｃの後面に、平面視において隙間２５２を塞ぐ遮蔽リブ２４５が後方に向けて突出する。
【００３１】
遮蔽リブ２４５が平面視において隙間２５２を塞ぐように設けられることにより、隙間２５２を通って上方に向けて本体ケーシング２内に進入してくる輻射熱は、遮蔽リブ２４５に遮られ、それ以上の進入が抑えられる。
【００３２】
操作部４が図７に示す操作部収納位置に位置するとき、基板４０が備える電気機器４１は、遮蔽リブ２４５がなければ、隙間２５２から進入する輻射熱が直接あたり、悪影響を受けやすい。本実施形態では、遮蔽リブ２４５が存在することにより、隙間２５２から進入しにくくなり、本体ケーシング２内に放射される輻射熱量が抑えられる。
【００３３】
また、本実施形態では、遮蔽リブ２４５は、前面パネル２４Ｃの後面の下部に設けられている。遮蔽リブ２４５は、本体ケーシング２内の例えば電気機器４１等の部材に輻射熱があたらないように、隙間２５２の近くに位置することが好ましい。すなわち、遮蔽リブ２４５が隙間２５２から遠い位置に位置すると、その間にある電気機器４１等の部材にあたり得るため、これらの部材よりも隙間２５２に近い前面パネル２４Ｃの下部、好ましくは前面パネル２４Ｃの下端部に設けられるのがよい。
【００３４】
また、遮蔽リブ２４５が隙間２５２に近い前面パネル２４Ｃの下部（好ましくは下端部）に設けられると、遮蔽リブ２４５が前面パネル２４Ｃの上部に設けられる場合に比べて、隙間２５２から進入する輻射熱を遮る角度範囲を大きくすることができる。
【００３５】
操作部４は、操作部使用位置と操作部収納位置との間を移動可能である。これにあたって、上述した実施形態では、いわゆるカンガルーポケット機構が採用されているが、カンガルーポケット機構に限定されない。すなわち、操作部４が操作部使用位置と操作部収納位置との間を移動するにあたり、例えば従来広く利用されている引き出しの構造が採用されてもよい。
【００３６】
以上、述べた実施形態およびその変形例から明らかなように、第１の態様の加熱調理器１は、本体ケーシング２と、前面パネル２４Ｃと、操作部４と、を備える。前面パネル２４Ｃは、本体ケーシング２の前面部２３の一部を構成し、前面部２３の他の部分よりも前方の前位置と、前位置よりも後方の後位置と、の間で移動可能である。操作部４は、前面パネル２４Ｃの後面側に設けられ、前面パネル２４Ｃが前位置に位置するときに前面部２３の他の部分よりも前方の操作部使用位置に位置する。操作部４は、前面パネル２４Ｃが後位置に位置するときに前面部２３の他の部分よりも後方の操作部収納位置に位置する。本体ケーシング２の底面部２５の前端２５１が、前面パネル２４Ｃの後端２４４よりも後方に位置する。底面部２５の前端２５１と前面パネル２４Ｃの後端２４４との間に上下に通じる隙間２５２が形成される。前面パネル２４Ｃの後面に、平面視において隙間２５２を塞ぐ遮蔽リブ２４５が後方に向けて突出する。
【００３７】
第１の態様によれば、平面視において隙間２５２を塞ぐ遮蔽リブ２４５が位置するため、隙間２５２を通って輻射熱が本体ケーシング２内に向けて放射されにくい。
【００３８】
第２の態様では、第１の態様との組み合わせにより実現される。第２の態様では、遮蔽リブ２４５は、前面パネル２４Ｃの下部に設けられる。
【００３９】
第２の態様によれば、隙間２５２を通って進入する輻射熱のできるだけ多くを遮ることができる。
【符号の説明】
【００４０】
１      加熱調理器
２      本体ケーシング
２４Ｃ  前面パネル
４      操作部
２３    前面部
２５    底面部
２５１  前端
２４４  後端
２５２  隙間
２４５  遮蔽リブ
【図１】
2019128096.tif 000003
【図２】
2019128096.tif 000004
【図３】
2019128096.tif 000005
【図４】
2019128096.tif 000006
【図５】
2019128096.tif 000007
【図６】
2019128096.tif 000008
【図７】
2019128096.tif 000009